(57)【要約】【課題】快適なカラオケ歌唱を可能とする単一のマイクロホン装置を提供する。【解決手段】カラオケ楽曲の歌唱に基づいて取得した音声信号を出力するユニットであって、異なるアコースティック・チューニングが施された複数のマイクロホンユニットと、歌唱に最適な前記アコースティック・チューニングが施されたマイクロホンユニットを前記カラオケ楽曲の歌唱区間毎に選択するためのユニット選択情報に基づいて、前記複数のマイクロホンユニットから出力された前記音声信号の切り替えを行う切替部と、を有するマイクロホン装置。【選択図】図３
2019012119.tif 000002
【特許請求の範囲】
【請求項１】
カラオケ楽曲の歌唱に基づいて取得した音声信号を出力するユニットであって、異なるアコースティック・チューニングが施された複数のマイクロホンユニットと、
歌唱に最適な前記アコースティック・チューニングが施されたマイクロホンユニットを前記カラオケ楽曲の歌唱区間毎に選択するためのユニット選択情報に基づいて、前記複数のマイクロホンユニットから出力された前記音声信号の切り替えを行う切替部と、
を有するマイクロホン装置。
【請求項２】
前記切替部は、前記音声信号の切り替えを行う際、その時点での音声信号と、切替後の音声信号とがクロスフェードするように切り替えを行うことを特徴とする請求項１記載のマイクロホン装置。
【請求項３】
カラオケ楽曲の演奏を行うカラオケ装置、及びマイクロホン装置を含むカラオケシステムであって、
前記カラオケ装置は、
前記カラオケ楽曲の演奏の進行に伴って、前記マイクロホン装置に対し、歌唱に最適なアコースティック・チューニングが施されたマイクロホンユニットを前記カラオケ楽曲の歌唱区間毎に選択するためのユニット選択情報を順次送信する送信処理部を有し、
前記マイクロホン装置は、
前記カラオケ楽曲の歌唱に基づいて取得した音声信号を出力するユニットであって、異なるアコースティック・チューニングが施された複数のマイクロホンユニットと、
前記カラオケ装置から送信された前記ユニット選択情報に基づいて、前記複数のマイクロホンユニットから出力された前記音声信号の切り替えを行う切替部と、
を有するカラオケシステム。
【請求項４】
カラオケ楽曲の演奏を行うカラオケ装置、及びマイクロホン装置を含むカラオケシステムであって、
前記マイクロホン装置は、
前記カラオケ楽曲の歌唱に基づいて取得した音声信号を前記カラオケ装置に送信するユニットであって、異なるアコースティック・チューニングが施された複数のマイクロホンユニットを有し、
前記カラオケ装置は、
歌唱に最適な前記アコースティック・チューニングが施されたマイクロホンユニットを前記カラオケ楽曲の歌唱区間毎に選択するためのユニット選択情報に基づいて、前記複数のマイクロホンユニットから出力された前記音声信号の切り替えを行う切替部を有するカラオケシステム。
【請求項５】
前記切替部は、前記音声信号の切り替えを行う際、その時点での音声信号と、切替後の音声信号とがクロスフェードするように切り替えを行うことを特徴とする請求項３または４記載のカラオケシステム。
【発明の詳細な説明】
【技術分野】
【０００１】
本発明はマイクロホン装置、及び当該マイクロホン装置を含むカラオケシステムに関する。
【背景技術】
【０００２】
マイクロホン装置は、その用途により、指向特性や周波数特性の異なる様々なタイプが存在する。たとえば、無指向性のマイクロホン装置は、会議等において複数人の音声を集音する場合に用いられる。また、指向性のあるマイクロホン装置は、様々な音声の中から特定の対象者の音声だけを集音したい場合に用いられる。
【０００３】
一方、一のマイクロホン装置が複数の指向特性を備えているものや、一のマイクロホン装置において周波数特性を切り替えることが可能なものがある。
【０００４】
たとえば、特許文献１には、一の筐体内に複数の受音素子を内蔵し、各受音素子の出力を合成して無指向性特性、双指向性特性、高次の双指向性特性、及びそれらの相乗指向性特性の出力信号を引き出し、所定の座標変換演算を行った後に合成することにより、所定の方向の合成指向性特性を得ることができるマイクロホン装置が開示されている。このようなマイクロホン装置は、所定の位置に固定したまま、任意の座標変換演算を行うことにより任意の方向の音を選択して受音することができる。
【０００５】
特許文献２には、マイク筐体内に周波数特性を変更可能なプリアンプ回路基板を設け、周波数特性を決定するパラメータをメモリ・カートリッジに記憶できるマイクロホン装置が開示されている。このようなマイクロホン装置は、一の受音素子に接続するアナログ回路をチューニングして周波数特性を切り替えることで、歌唱者の声質に合わせた周波数特性を持たせることができる。
【０００６】
更に、非特許文献１には、マイクロホン装置の周波数特性を変更できるデジタルシグナルプロセッサ（ＤＳＰ）が記載されている。このＤＳＰは、一のマイクロホン装置において様々な周波数特性を実現するためのマイクロホン・モデリング機能を搭載している。
【先行技術文献】
【特許文献】
【０００７】
【特許文献１】特開平６−２６９０８２号公報
【特許文献２】特開２０１１−１３５３１０号公報
【非特許文献】
【０００８】
【非特許文献１】“ＭＩＣ８００（ＭＩＮＩＭＩＣ）”、［ｏｎｌｉｎｅ］、ＢＥＨＲＩＮＧＥＲ社、［平成２９年６月２０日検索］、インターネット＜ＵＲＬ：http://www.music-group.com/Categories/Behringer/Signal-Processors/Microphone-Preamplifiers/MIC800/p/P0335＞
【発明の概要】
【発明が解決しようとする課題】
【０００９】
ところで、カラオケ分野で使用されるマイクロホン装置の性能に関し、「吸い込みが良い／悪い」という評価を行う場合がある。「吸い込みが良い」とは、あるマイクロホン装置を使用してカラオケ歌唱を行った場合に、歌い易いと感じたり、歌唱音声が聞き取り易いと感じることをいう。逆に、「吸い込みが悪い」とは、あるマイクロホン装置を使用してカラオケ歌唱を行った場合に、歌い難いと感じたり、歌唱音声が聞き取り難いと感じることをいう。マイクロホン装置の性能を判断する作業者は、あるマイクロホン装置を使用した場合の歌い易さや得られた歌唱音声の聴き取り易さにより、そのマイクロホン装置の吸い込みが良いまたは悪いという評価を行う。吸い込みが良いマイクロホン装置を使用することにより、実際にカラオケ歌唱を行う歌唱者は、快適なカラオケ歌唱が可能となる。
【００１０】
吸い込みが悪い場合、作業者はマイクロホン装置のチューニングを行う。このチューニングは、吸い込みが良くなるように（快適なカラオケ歌唱ができるように）、マイクロホン装置内に設けられたマイクロホンユニットの位置等を調整する機構的な処理である（以下、このようなチューニングを「アコースティック・チューニング」という場合がある）。
【００１１】
ここで、歌唱区間（Ａメロ、Ｂメロ、サビ等）によって最適なアコースティック・チューニングの状態は異なる。たとえば、楽曲のＡメロやＢメロを歌唱した際の吸い込みが良くなるようにチューニングすると、サビの歌唱では詰まったように感じられ、サビを歌唱した際の吸い込みが良くなるようにチューニングすると、ＡメロやＢメロが歌い難く感じられる。すなわち、ある歌唱区間において吸い込みが良くなるようにアコースティック・チューニングを行った場合、別の歌唱区間においては吸い込みが悪くなるという問題がある。
【００１２】
そのため、従来は全ての歌唱区間における吸い込みが悪くならない程度にチューニングを行っていた。つまり、従来の単一のマイクロホン装置においては、全ての歌唱区間における吸い込みを良くすることができなかった。従って、ある歌唱区間において吸い込みの悪さを感じてしまい、快適なカラオケ歌唱を行えない場合があった。
【００１３】
本発明の目的は、単一のマイクロホン装置を用いて快適なカラオケ歌唱を可能とする技術を提供することにある。
【課題を解決するための手段】
【００１４】
上記目的を達成するための一の発明は、カラオケ楽曲の歌唱に基づいて取得した音声信号を出力するユニットであって、異なるアコースティック・チューニングが施された複数のマイクロホンユニットと、歌唱に最適な前記アコースティック・チューニングが施されたマイクロホンユニットを前記カラオケ楽曲の歌唱区間毎に選択するためのユニット選択情報に基づいて、前記複数のマイクロホンユニットから出力された前記音声信号の切り替えを行う切替部と、を有するマイクロホン装置である。
本発明の他の特徴については、後述する明細書及び図面の記載により明らかにする。
【発明の効果】
【００１５】
本発明によれば、単一のマイクロホン装置を用いて快適なカラオケ歌唱が可能となる。
【図面の簡単な説明】
【００１６】
【図１】第１実施形態に係るカラオケシステムの概略を示す図である。
【図２】第１実施形態に係るカラオケ装置のハードウェア構成例を示す図である。
【図３】第１実施形態に係るマイクロホン装置のハードウェア構成例を示す図である。
【図４】第２実施形態に係るマイクロホン装置のハードウェア構成例を示す図である。
【図５】第２実施形態に係るカラオケ装置のハードウェア構成例を示す図である。
【発明を実施するための形態】
【００１７】
後述する明細書及び図面の記載から、上記の主たる発明の他、少なくとも以下の事項が明らかとなる。
【００１８】
すなわち、カラオケ楽曲の演奏を行うカラオケ装置、及びマイクロホン装置を含むカラオケシステムであって、前記カラオケ装置が、前記カラオケ楽曲の演奏の進行に伴って、前記マイクロホン装置に対し、歌唱に最適なアコースティック・チューニングが施されたマイクロホンユニットを前記カラオケ楽曲の歌唱区間毎に選択するためのユニット選択情報を順次送信する送信処理部を有し、前記マイクロホン装置が、前記カラオケ楽曲の歌唱に基づいて取得した音声信号を出力するユニットであって、異なるアコースティック・チューニングが施された複数のマイクロホンユニットと、前記カラオケ装置から送信された前記ユニット選択情報に基づいて、前記複数のマイクロホンユニットから出力された前記音声信号の切り替えを行う切替部と、を有するカラオケシステムが明らかとなる。このようなカラオケシステムによれば、単一のマイクロホン装置を用いて快適にカラオケ歌唱を行うことができる。
【００１９】
或いは、カラオケ楽曲の演奏を行うカラオケ装置、及びマイクロホン装置を含むカラオケシステムであって、前記マイクロホン装置が、前記カラオケ楽曲の歌唱に基づいて取得した音声信号を前記カラオケ装置に送信するユニットであって、異なるアコースティック・チューニングが施された複数のマイクロホンユニットを有し、前記カラオケ装置が、歌唱に最適な前記アコースティック・チューニングが施されたマイクロホンユニットを前記カラオケ楽曲の歌唱区間毎に選択するためのユニット選択情報に基づいて、前記複数のマイクロホンユニットから出力された前記音声信号の切り替えを行う切替部を有するカラオケシステムが明らかとなる。このようなカラオケシステムによっても、単一のマイクロホン装置を用いて快適にカラオケ歌唱を行うことができる。また、このようなカラオケシステムによれば、マイクロホン装置の構成を簡素化することができる。
【００２０】
また、前記切替部が、前記音声信号の切り替えを行う際、その時点での音声信号と、切替後の音声信号とがクロスフェードするように切り替えを行うマイクロホン装置またはカラオケシステムが明らかとなる。このようなマイクロホン装置またはカラオケシステムによれば、音声信号をより滑らかに切り替えることができ、カラオケ装置から放音される歌唱音声が不自然になることを低減できる。
【００２１】
＜第１実施形態＞
図１〜図３を参照して、第１実施形態に係るカラオケシステム１０００について説明する。
【００２２】
＝＝カラオケシステム＝＝
図１に示すように、本実施形態に係るカラオケシステム１０００は、カラオケ装置１及びマイクロホン装置５０を含む。
【００２３】
カラオケ装置１は、カラオケ楽曲の演奏、及び歌唱者がカラオケ歌唱を行うための装置である。
【００２４】
カラオケ装置１は、カラオケ本体１０、スピーカ２０、表示装置３０、及びリモコン装置４０を含む。カラオケ本体１０は、選曲されたカラオケ楽曲の演奏制御、歌詞や背景映像等の表示制御といった、カラオケ歌唱に関する各種の制御を行う。スピーカ２０はカラオケ本体１０からの放音信号に基づいて放音するための構成である。表示装置３０はカラオケ本体１０からの信号に基づいて映像や画像を画面に表示するための構成である。リモコン装置４０は、カラオケ装置１に対する各種操作を行うための装置である。
【００２５】
マイクロホン装置５０は、歌唱者の歌唱音声を取得し、カラオケ本体１０に出力するための構成である。マイクロホン装置５０は、予めアコースティック・チューニングが施されたものを用いる。
【００２６】
上述の通り、アコースティック・チューニングは、マイクロホン装置５０の吸い込みが良くなるように、マイクロホン装置５０内に設けられたマイクロホンユニットの位置等を調整する機構的なチューニングである。ここで、カラオケ楽曲の歌唱区間（Ａメロ、Ｂメロ、サビ等）によって、歌唱に最適なアコースティック・チューニングが存在する。本実施形態に係るマイクロホン装置５０は、第１のマイクロホンユニット５５及び第２のマイクロホンユニット５６を有し、それぞれに異なるアコースティック・チューニングが施されている（詳細は後述）。
【００２７】
＝＝カラオケ本体＝＝
［ハードウェア構成］
図２に示すように、カラオケ本体１０は、通信部１１、記憶部１２、音響処理部１３、表示処理部１４、操作部１５、及び制御部１６を備える。各構成はインターフェース（図示なし）を介してバスＢに接続されている。
【００２８】
（通信部）
通信部１１は、ルータ（図示なし）を介してカラオケ本体１０をリモコン装置４０やマイクロホン装置５０と接続するためのインターフェースを提供する。
【００２９】
（記憶部）
記憶部１２は、各種のデータを記憶する大容量の記憶装置であり、たとえばハードディスクドライブなどである。記憶部１２は、カラオケ装置１によりカラオケ演奏を行うための複数の楽曲データを記憶する。
【００３０】
楽曲データは、個々のカラオケ楽曲を特定するための識別情報（楽曲ＩＤ）が付与されている。楽曲データは、伴奏データ、リファレンスデータ等を含む。伴奏データは、カラオケ演奏音の元となるＭＩＤＩ形式のデータである。伴奏データは、カラオケ楽曲の歌唱区間（Ａメロ、Ｂメロ、サビ等）を識別するための情報を含む。リファレンスデータは、歌唱者によるカラオケ歌唱を採点する際の基準として用いられるデータである。また、記憶部１２は、各楽曲に対応する歌詞テロップを提示するための各種情報を含む歌詞テロップデータ、カラオケ演奏時に合わせて表示装置３０等に表示される背景画像に対応する背景画像データ、及びカラオケ楽曲の属性情報（曲名、歌手名、作詞・作曲者名、及びジャンル等の当該カラオケ楽曲に関する情報）を記憶する。
【００３１】
また、記憶部１２は、各楽曲の歌唱区間毎に設定されたユニット選択情報を記憶する。ユニット選択情報は、歌唱に最適なアコースティック・チューニングが施されたマイクロホンユニットをカラオケ楽曲の歌唱区間毎に選択するための情報である。具体的に、ユニット選択情報は、Ａメロ・Ｂメロ用のユニットＩＤやサビ用のユニットＩＤのように、各ユニットを特定するための情報である。
【００３２】
（音響処理部）
音響処理部１３は、制御部１６の制御に基づき、カラオケ楽曲に対する演奏の制御およびマイクロホン装置５０を通じて入力された音声信号の処理を行う。表示処理部１４は、制御部１６の制御に基づき、表示装置３０における各種表示に関する処理を行う。操作部１５は、パネルスイッチおよびリモコン受信回路などからなり、歌唱者によるカラオケ本体１０のパネルスイッチあるいはリモコン装置４０の操作に応じて選曲信号、演奏中止信号などの操作信号を制御部１６に対して出力する。制御部１６は、操作部１５からの操作信号を検出し、対応する処理を実行する。
【００３３】
（制御部）
制御部１６は、カラオケ本体１０の各種処理を制御する。制御部１６は、ＣＰＵおよびメモリ（いずれも図示なし）を備える。ＣＰＵは、メモリに記憶された動作プログラムを実行することにより各種の制御機能を実現する。本実施形態に係る制御部１６は、演奏処理部１００及び送信処理部２００として機能する。
【００３４】
演奏処理部１００は、伴奏データに基づいてカラオケ演奏を行う。演奏処理部１００は、あるカラオケ楽曲の楽曲ＩＤの入力を受けると、当該楽曲ＩＤに対応する楽曲データを記憶部１２から読み出し、当該カラオケ楽曲のカラオケ演奏を行う。また、演奏処理部１００は、カラオケ演奏の進行に伴い、次に演奏される歌唱区間を示す情報を送信処理部２００に出力する。
【００３５】
送信処理部２００は、カラオケ楽曲の演奏の進行に伴って、マイクロホン装置５０に対し、ユニット選択情報を順次送信する。具体的に、送信処理部２００は、演奏処理部１００から次に演奏される歌唱区間を示す情報を受け取った場合、当該歌唱区間に対して設定されているユニット選択情報を記憶部１２から読み出し、通信部１１を介してマイクロホン装置５０に対して送信する。
【００３６】
＝＝マイクロホン装置＝＝
［ハードウェア構成］
図３はマイクロホン装置５０のハードウェア構成例を示す図である。マイクロホン装置５０は、マイク本体５１、ヘッドケース５２、ウインドスクリーン５３、仕切り５４、第１のマイクロホンユニット５５、第２のマイクロホンユニット５６、２つのアナログ回路ＡＣ及び切替部５７を備える。
【００３７】
マイク本体５１は、歌唱者がマイクロホン装置５０を使用する際に把持する部分である。本体部５１の先端側には、ヘッドケース５２が設けられている。ヘッドケース５２は、マイクロホン装置５０内部の構成を保護する網目状の金属製部材である。ウインドスクリーン５３は、マイクロホンユニットに直接、歌唱者の息が当たらないようにするためのスポンジ状の部材である。ヘッドケース５２がウインドスクリーン５３と同様の機能を有していてもよい。仕切り５４、第１のマイクロホンユニット５５、第２のマイクロホンユニット５６、及び切替部５７は、マイクロホン装置５０内部（マイク本体５１またはヘッドケース５２内部）に設けられている。
【００３８】
仕切り５４は、マイクロホン装置５０内部に配置される板状の部材である。仕切り５４は、第１のマイクロホンユニット５５と第２のマイクロホンユニット５６とを分ける壁としての役割を有する。
【００３９】
第１のマイクロホンユニット５５及び第２のマイクロホンユニット５６は、カラオケ楽曲の歌唱に基づいて取得した音声信号を出力するユニットである。
【００４０】
各マイクロホンユニットは受音素子を含む。受音素子は、歌唱者の歌唱音声の入力を受ける素子である。受音素子は、入力された歌唱音声をアナログ回路ＡＣに出力する。アナログ回路ＡＣは、歌唱音声をアナログの音声信号に変換する。アナログ回路ＡＣは、音声信号を切替部５７に出力する。つまり、切替部５７には、異なるマイクロホンユニットで取得した複数の音声信号が同時に入力される。受音素子及びアナログ回路ＡＣは、各マイクロホンユニットで略同一のものを使用することができる。
【００４１】
第１のマイクロホンユニット５５及び第２のマイクロホンユニット５６は、異なるアコースティック・チューニングが施されている。
【００４２】
図３に示すように、第１のマイクロホンユニット５５は、ヘッドケース５２の先端から距離Ｒ１の位置に設けられている。一方、第２のマイクロホンユニット５５は、ヘッドケース５２の先端から距離Ｒ１よりも長い距離Ｒ２の位置に設けられている。また、ウインドスクリーン５３は、第１のマイクロホンユニット５５よりも第２のマイクロホンユニット５６の方をより広範囲で覆っている。このような、マイクロホンユニットの位置が調整された状態や、マイクロホンユニットを覆うウインドスクリーン５３の範囲が調整された状態は、アコースティック・チューニングが施された一例である。なお、図３では、説明のためにヘッドケース５２からマイクロホンユニットまでの距離やウインドスクリーン５３の範囲を誇張して記載している。実際には、距離Ｒ１と距離Ｒ２の差は１〜５ｍｍ程度である。また、ウインドスクリーン５３の範囲も吸い込みを確認しながら１ｍｍ単位で調整を行うことにより設定されている。
【００４３】
この例では、第１のマイクロホンユニット５５は、Ａメロ・Ｂメロ用にチューニングされ、第２のマイクロホンユニット５６は、サビ用にチューニングされているとする。
【００４４】
なお、マイクロホンユニットに対して施すアコースティック・チューニングは、マイクロホン装置５０の吸い込みが良くなるものであれば図３の構成に限定されない。たとえば、マイクロホンユニットの向きを変えたり、マイクロホンユニットに対する仕切り５４の位置や角度を変えること、或いは、各マイクロホンユニットに対するウインドスクリーン５３の厚みを調整することであってもよい。
【００４５】
切替部５７は、カラオケ装置１から送信されたユニット選択情報に基づいて、複数のマイクロホンユニットから出力された音声信号の切り替えを行う。切替部５７は、通信部（図示無し）を介して、切り替えた音声信号をカラオケ装置１に送信する。
【００４６】
たとえば、送信処理部２００からＡメロ・Ｂメロを示すユニット選択情報（Ａメロ・Ｂメロ用のユニットＩＤ）を受信した場合、切替部５７は、Ａメロ・Ｂメロ用にチューニングされた第１のマイクロホンユニット５５を選択し、第１のマイクロホンユニット５５からの音声信号をカラオケ装置１に送信する。カラオケ装置１（音響処理部１３）は、当該音声信号に基づいてＡメロまたはＢメロの歌唱音声を放音する。当該音声信号は、Ａメロ・Ｂメロの歌唱に最適なアコースティック・チューニングが施されたマイクロホンユニットにより取得されたものである。従って、吸い込みが良いため、歌唱者は快適なカラオケ歌唱を楽しむことができる。
【００４７】
その後、切替部５７は、カラオケ演奏の進行に伴って送信処理部２００からサビを示すユニット選択情報（サビ用のユニットＩＤ）を受信したとする。この場合、切替部５７は、カラオケ装置１に送信する音声信号について、第１のマイクロホンユニット５５から出力された音声信号から、サビ用にチューニングされた第２のマイクロホンユニット５６から出力された音声信号への切り替えを行う。カラオケ装置１（音響処理部１３）は、当該音声信号に基づいてサビの歌唱音声を放音する。当該音声信号は、サビの歌唱に最適なアコースティック・チューニングが施されたマイクロホンユニットにより取得されたものである。従って、吸い込みが良いため、歌唱者は引き続き快適なカラオケ歌唱を楽しむことができる。
【００４８】
なお、切替部５７は、音声信号の切り替えを行う際、その時点での音声信号と、切替後の音声信号とがクロスフェードするように切り替えを行うことも可能である。クロスフェードとは、一方の音声信号の出力を徐々に弱めつつ、他方の音声信号の出力を徐々に強くする処理である。
【００４９】
たとえば、上記例において、切替部５７は、カラオケ装置１に送信する音声信号について、第１のマイクロホンユニット５５から出力された音声信号から、第２のマイクロホンユニット５６から出力された音声信号への切り替えを行う際、第１のマイクロホンユニット５５から出力された音声信号の出力を徐々に弱めつつ、第２のマイクロホンユニット５６から出力された音声信号の出力を徐々に強くする処理を行う。この場合、カラオケ装置１から放音される歌唱音声もクロスフェードされた状態で聞こえることとなる。従って、音声信号をより滑らかに切り替えることができ、カラオケ装置から放音される歌唱音声が不自然になることが低減される。
【００５０】
このように、本実施形態に係るマイクロホン装置５０は、カラオケ楽曲の歌唱に基づいて取得した音声信号を出力するユニットであって、異なるアコースティック・チューニングが施された第１のマイクロホンユニット５５及び第２のマイクロホンユニット５６と、歌唱に最適なアコースティック・チューニングが施されたマイクロホンユニットをカラオケ楽曲の歌唱区間毎に選択するためのユニット選択情報に基づいて、第１のマイクロホンユニット５５または第２のマイクロホンユニット５６から出力された音声信号の切り替えを行う切替部５７と、を有する。また、本実施形態に係るカラオケシステム１０００は、上記ユニット選択情報を、カラオケ楽曲の演奏の進行に伴って順次送信する送信処理部２００を有する。
【００５１】
このような単一のマイクロホン装置５０を用いることにより、歌唱に最適なアコースティック・チューニングが施されたマイクロホンユニットからの音声信号を、カラオケ楽曲の歌唱区間毎にカラオケ装置１に対して送信することが可能となる。従って、カラオケ装置１で放音される歌唱音声も吸い込みが良くなるため、歌唱者は歌唱区間に関わらず快適なカラオケ歌唱を行うことができる。
【００５２】
＜第２実施形態＞
次に、図４及び図５を参照して、第２実施形態に係るカラオケシステム１０００について説明する。本実施形態においては、カラオケ装置１側で切替部５７に相当する構成を備えている。第１実施形態と同様の構成については詳細な説明を省略する。
【００５３】
図４に示すように、マイクロホン装置５０は、第１実施形態と同様、異なるアコースティック・チューニングが施された第１のマイクロホンユニット５５及び第２のマイクロホンユニット５６を有する。一方、本実施形態に係るマイクロホン装置５０は、切替部５７に相当する構成を有していない。従って、カラオケ楽曲の歌唱に基づいて各マイクロホンユニットが取得した音声信号は、カラオケ装置１に直接送信される。
【００５４】
図５に示すように、カラオケ装置１の制御部１６は、演奏処理部３００、読出部４００及び切替部５００として機能する。
【００５５】
演奏処理部３００は、伴奏データに基づいてカラオケ演奏を行う。また、演奏処理部３００は、カラオケ演奏の進行に伴い、次に演奏される歌唱区間を示す情報を読出部４００に出力する。
【００５６】
読出部４００は、記憶部１２から次に演奏される歌唱区間に対応するユニット選択情報を読み出して、切替部５００に出力する。
【００５７】
切替部５００は、ユニット選択情報に基づいて、複数のマイクロホンユニットから出力された音声信号の切り替えを行う
【００５８】
たとえば、読出部４００からＡメロ・Ｂメロを示すユニット選択情報（Ａメロ・Ｂメロ用のユニットＩＤ）の入力を受けた場合、切替部５００は、Ａメロ・Ｂメロ用にチューニングされた第１のマイクロホンユニット５５を選択し、第１のマイクロホンユニット５５からの音声信号を音響処理部１３に出力する。音響処理部１３は、制御部１６の制御に基づいて、当該音声信号に基づいてＡメロまたはＢメロの歌唱音声を放音する。当該音声信号は、Ａメロ・Ｂメロの歌唱に最適なアコースティック・チューニングが施されたマイクロホンユニットにより取得されたものである。従って、吸い込みが良いため、歌唱者は快適なカラオケ歌唱を楽しむことができる。
【００５９】
その後、切替部５００は、カラオケ演奏の進行に伴って読出部４００からサビを示すユニット選択情報（サビ用のユニットＩＤ）の入力を受けたとする。この場合、切替部５００は、音響処理部１３に出力する音声信号について、第１のマイクロホンユニット５５から出力された音声信号から、サビ用にチューニングされた第２のマイクロホンユニット５６から出力された音声信号への切り替えを行う。音響処理部１３は、制御部１６の制御に基づいて当該音声信号に基づいてサビの歌唱音声を放音する。当該音声信号は、サビの歌唱に最適なアコースティック・チューニングが施されたマイクロホンユニットにより取得されたものである。従って、吸い込みが良いため、歌唱者は引き続き快適なカラオケ歌唱を楽しむことができる。なお、切替部５００は、第１実施形態の切替部５７と同様に、音声信号の切り替えを行う際、その時点での音声信号と、切替後の音声信号とがクロスフェードするように切り替えを行うことも可能である。
【００６０】
このように、本実施形態に係るカラオケシステム１０００によっても、単一のマイクロホン装置５０を用いることで、歌唱区間に関わらず快適にカラオケ歌唱を行うことができる。また、本実施形態に係るカラオケシステム１０００によれば、マイクロホン装置５０側に切替部を設ける必要が無いため、マクロホン装置側の構成を簡素化することができる。
【００６１】
＜その他＞
上記実施形態におけるアコースティック・チューニングに加えて、アナログ回路ＡＣにおけるチューニングを併用することにより、吸い込みをより良くすることが可能である。アナログ回路ＡＣのチューニングは、音声信号経路のカップリング・コンデンサの容量、種類（セラミック、フィルム）等を変更することにより行う。また、このようなアナログ回路ＡＣのチューニングを行うことにより、アコースティック・チューニングにより影響を受けた各マイクロホンユニットの周波数特性を補正することも可能である。
【００６２】
また、上記実施形態では、２つのマイクロホンユニットを例に説明を行ったが、マイクロホンユニットの数は２つに限られない。たとえば、Ｃメロがあるカラオケ楽曲用に別のマイクロホンユニットを設けてもよい。或いは、上記実施形態において更にＡメロ用とＢメロ用でマイクロホンユニットを分けてもよい。これらの場合、マイクロホン装置５０は３つのマイクロホンユニットを有することとなる。その際、マイクロホンユニットに施すアコースティック・チューニングはそれぞれ異なっている。たとえば、Ａメロ用のマイクロホンユニットは、上記実施形態の第１のマイクロホンユニット５５と同様のチューニングとし、サビ用のマイクロホンユニットは、上記実施形態の第２のマイクロホンユニット５６と同様のチューニングとし、Ｂメロ用のマイクロホンユニットは、第１のマイクロホンユニット５５と第２のマイクロホンユニット５６との中間のチューニングとすることができる。
【００６３】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００６４】
１  カラオケ装置
１０  カラオケ本体
５０  マイクロホン装置
５５  第１のマイクロホンユニット
５６  第２のマイクロホンユニット
５７  切替部
２００  送信処理部
１０００  カラオケシステム
【図１】
2019012119.tif 000003
【図２】
2019012119.tif 000004
【図３】
2019012119.tif 000005
【図４】
2019012119.tif 000006
【図５】
2019012119.tif 000007